(57)【要約】【課題】  室内照明が暗い場所にスロットマシンが設置された場合でも、受け皿に払い出されるメダルを遊技者が視認し易く、しかも、装飾効果の高いスロットマシンを安価でかつ筺体のデザインを損なうことなく提供する。【解決手段】  メダル受け皿１１に対向する枠２２の下面に開口２２ａが形成されている。化粧用パネル５を背面から照らす蛍光灯２５の出射光は、この開口２２ａを塞ぐ透明樹脂板２６を通ってメダル受け皿１１を照明する。また、メダル受け皿１１には鏡面状のステンレス板２７が設けられており、蛍光灯２５の出射光がステンレス板２７に照射されると、メダル受け皿１１には奥行き感が生まれる。【選択図】  図１
2006247418.tif 000002
【特許請求の範囲】
【請求項１】
表面に情報が描かれた化粧用パネルと、この化粧用パネルを機器前面に保持する枠と、前記化粧用パネルを背面から照らす機器に内蔵された光源と、前記枠の下方に設けられた遊技媒体受け皿とを備えたメインドアを有するスロットマシンにおいて、
前記枠は、前記遊技媒体受け皿に対向する下面に開口が形成され、
前記枠の開口は、透光性部材によって塞がれており、
前記遊技媒体受け皿は、前記枠の下面に対向する部分が鏡面状に形成されていることを特徴とするスロットマシン。
【発明の詳細な説明】
【技術分野】
【０００１】
本発明は、遊技で入賞が生じると遊技媒体を受け皿に払い出すスロットマシンに関するものである。
【背景技術】
【０００２】
従来、この種のスロットマシンとしては、例えば、図４の斜視図に示すスロットマシン１がある。
【０００３】
スロットマシン１の機器前面の上半部には表示パネル２が設けられており、この表示パネル２の各窓３にはそれぞれ回転リール４が臨んでいる。これら各回転リール４の外周には種々のシンボルが描かれている。また、機器前面の下半分には化粧パネル５が枠６に保持されている。この化粧パネル５の表面にはキャラクター等の図示しない情報が描かれている。化粧パネル５の背面側の機器内部には蛍光灯が内蔵されており、キャラクター等の絵柄はこの蛍光灯が出射する光によって裏面側から映し出されている。
【０００４】
遊技の開始に先立ち、遊技者によって投入口７にメダル（遊技媒体）が投入され、スタートレバー８が操作されると、各リール４は回転し出す。これに引き続く遊技者による各ストップボタン９の操作により、各リール４の回転は停止する。停止時に各窓３に表示されるシンボルの組み合わせにより、入賞が生じる。入賞が得られた場合には、枠６の下方にある払出口１０から受け皿１１に入賞役に応じた枚数のメダルが払い出される。
【発明の開示】
【発明が解決しようとする課題】
【０００５】
しかしながら、上記従来のスロットマシン１では、室内照明が暗い場所に機器が設置されている場合には、受け皿１１に払い出されたメダルを遊技者が視認しずらいという問題があった。この問題を解消するため、メダル受け皿１１を照明する光源を新たに設けるということが考えられる。しかし、このような光源を新たに設けると、スロットマシン１の筺体から光源部分が突出し、筺体のデザインが損なわれてしまう。また、スロットマシン１の製造コストが高くなってしまう。
【０００６】
また、上記従来のスロットマシン１においては、表示パネル２および化粧用パネル５に主な装飾が施され、他の機器部分が装飾効果を果たすことは少なかった。
【課題を解決するための手段】
【０００７】
本発明はこのような課題を解決するためになされたもので、表面に情報が描かれた化粧用パネルと、この化粧用パネルを機器前面に保持する枠と、化粧用パネルを背面から照らす機器に内蔵された光源と、枠の下方に設けられた遊技媒体受け皿とを備えたメインドアを有するスロットマシンにおいて、上記枠が、遊技媒体受け皿に対向する下面に開口が形成され、上記枠の開口が、透光性部材によって塞がれており、上記遊技媒体受け皿が、上記枠の下面に対向する部分が鏡面状に形成されていることを特徴とする。
【０００８】
このように遊技媒体受け皿に対向する枠の下面に開口が形成されることにより、化粧用パネルを背面から照らす内蔵光源から出射される光は、この開口を塞ぐ透光性部材を通って遊技媒体受け皿を照明する。
【０００９】
また、遊技媒体受け皿の枠下面に対向する部分が鏡面状に形成されることにより、受け皿の底面には奥行き感が生まれる。
【発明の効果】
【００１０】
本発明によるスロットマシンによれば、上記のように、遊技媒体受け皿に対向する枠の下面に開口が形成されることにより、化粧用パネルを背面から照らす内蔵光源から出射される光は、この開口を塞ぐ透光性部材を通って遊技媒体受け皿を照明する。
【００１１】
このため、スロットマシンが室内照明の暗い場所に設置された場合でも、受け皿に払い出される遊技媒体は内蔵光源によって照明され、遊技者に視認され易くなる。また、既設の内蔵光源を遊技媒体の照明に用いるため、スロットマシンの製造コストは光源を新設した場合に比較して安価になる。さらに、光源がスロットマシンの筺体の外部に突出することもないため、スロットマシンのデザインに悪影響を与えることもない。
【００１２】
また、遊技媒体受け皿の枠下面に対向する部分が鏡面状に形成されることにより、受け皿の底面には奥行き感が生まれ、装飾効果が付与される。
【発明を実施するための最良の形態】
【００１３】
次に、本発明を実施するための最良の形態について説明する。
【００１４】
図２は、本実施形態によるスロットマシンの斜視図であり、同図において図４と同一または相当する部分には同一符号を付してある。
【００１５】
本実施形態によるスロットマシン２１では、化粧用パネル５は枠２２によって機器の前面に保持されている。この枠２２はメインドア２３の下半部に設けられており、メインドア２３の上半部には表示パネル２が設けられている。メインドア２３の前面中間部には、メダル投入口７やスタートレバー８等を備えたコントロールパネルが存在している。このメインドア２３は、回転リール４等を内蔵する機器本体２４の前面に開閉自在に枢支されている。
【００１６】
化粧用パネル５は半透明のプラスチック板からなり、前述のように、この化粧用パネル５の表面にはキャラクター等の図示しない絵柄が着色されて描かれている。この絵柄は化粧用パネル５の背後に内蔵された蛍光灯２５によって背面から照らされている。従って、遊技者にはこの絵柄が機器前面に映し出されて視認されている。
【００１７】
また、化粧用パネル５を保持する枠２２には、メダル受け皿１１に対向する下面に開口２２ａが形成されている。図１（ａ）はこの開口部分を示す側面図であり、同図において図２と同一部分には同一符号を付してある。この開口２２ａは透明または半透明の透光性部材、例えば透明樹脂板２６によって塞がれている。
【００１８】
この透明樹脂板２６には、所定情報例えば「ＡＢＣ」という文字情報が緑色で描かれたシールが貼られている。同図（ｂ）は同図（ａ）のスロットマシン２１をｂ−ｂ線で破断して矢示方向から見た図である。同図（ｂ）に示すように枠２２の下面には、裏側から見たこの文字情報が透明樹脂板２６の裏面に観察されている。
【００１９】
また、枠２２の下方に設けられたメダル受け皿１１には、表面が鏡面状のステンレス板２７が嵌め込まれている。このステンレス板２７は、メダル受け皿１１の底面において、枠２２の下面に対向する部分に位置している。
【００２０】
このような構成をした本実施形態によるスロットマシン２１では、メダル受け皿１１に対向する枠２２の下面に開口２２ａが形成されていることにより、化粧用パネル５を背面から照らす蛍光灯２５から出射される光は、この開口２２ａに設けられた透明樹脂板２６を通ってメダル受け皿１１の中を照明する。
【００２１】
このため、スロットマシン２１が室内照明の暗い場所に設置された場合でも、払出口１０から受け皿１１に払い出されるメダルは、蛍光灯２５の光によって照明され、遊技者に視認され易くなる。また、化粧用パネル５を照らすために既に設けられている蛍光灯２５を光源としてメダルが照明されるため、スロットマシン２１の製造コストは、メダル照明用の光源を新設する場合に比較して安価になる。さらに、光源がスロットマシン２１の筺体の外部に突出することもないため、スロットマシン２１の外観つまりデザインに悪影響を与えることもない。
【００２２】
また、枠２２の開口２２ａが所定情報が描かれた透明樹脂板２６によって塞がれていることにより、メダル受け皿１１には開口２２ａを通る蛍光灯２５の光によってこの所定情報が映し出される。図３はこのようにしてメダル受け皿１１に「ＡＢＣ」という文字情報が映し出されている状態を示す斜視図である。なお、同図において、図２と同一部分には同一符号を付してその説明は省略する。
【００２３】
このため、従来、払い出されるメダルを貯める機能部分としてしか作用していなかったメダル受け皿１１が、装飾効果をも果たすようになる。また、透明樹脂板２６にスロットマシンの製造会社名や、遊技場のホール名等を描くことにより、宣伝広告をすることが可能である。また、透明樹脂板２６にスロットマシン遊技上の注意事項を描けば、これをメッセージとして遊技者に伝えることも可能である。
【００２４】
また、メダル受け皿１１に鏡面状のステンレス板２７が設けられていることにより、透明樹脂板２６に描かれた所定情報は、蛍光灯２５の光によって鮮明に映し出される。また、ステンレス板２７の鏡面状部分によって受け皿１１の底面には奥行き感が生まれる。これは例えば狭い店内の壁面に鏡を設けることにより、店内に奥行き感を持たせる効果と同様なものである。
【００２５】
このため、メダル受け皿１１底面のステンレス板２７に映し出される「ＡＢＣ」といった所定情報は立体的に表示され、この結果、装飾効果はより高められる。
【００２６】
なお、上記実施形態では、シールを貼ることによって透明樹脂板２６に所定情報を描いた場合について説明したが、透明樹脂板２６そのものに文字型を彫って所定情報を描くことも可能である。また、上記実施形態ではメダル受け皿１１にステンレス板２７を設けてその底面に鏡面状部分を形成した場合について説明したが、メダル受け皿１１の底面自体を鏡面状に仕上げてもよい。このような各場合においても、上記実施形態と同様な作用が奏され、同様な効果が得られる。
【図面の簡単な説明】
【００２７】
【図１】本発明の一実施形態によるスロットマシンの縦断面および横断面を示す図である。
【図２】本実施形態によるスロットマシンの斜視図である。
【図３】本実施形態によるスロットマシンのメダル受け皿に所定情報が映し出された状態を示す斜視図である。
【図４】従来のスロットマシンの斜視図である。
【符号の説明】
【００２８】
２…表示パネル
５…化粧用パネル
７…メダル投入口
８…スタートレバー
９…ストップボタン
１０…メダル払出口
１１…メダル受け皿
２１…スロットマシン
２２…枠
２２ａ…開口
２３…メインドア
２４…機器本体
２５…蛍光灯（内蔵光源）
２６…透明樹脂（透光性部材）
２７…ステンレス板
【図１】
2006247418.tif 000003
【図２】
2006247418.tif 000004
【図３】
2006247418.tif 000005
【図４】
2006247418.tif 000006